(57)【要約】【課題】簡易な構造とし人力でも持ち運びできるホイストクレーン用伸縮回転支柱を提供する。【解決手段】持ち運び運搬時は、異なる中空丸鋼を重ねる構造とし支柱本体を短くコンパクトとする。設置時は、支柱を伸ばして１２と１４で支柱長さ調整をすることで設置場所の高さに合わせる。吊り荷の移動は、３ａおよび４ａの回転軸構造とし、支柱が回転することで８の長さの半径距離を３６０度、吊り荷の移動を可能にする。また、レバー丸鋼を支柱に取り付け操作することで回転を容易にする。【選択図】図１
2017065921.tif 000002
【特許請求の範囲】
【請求項１】
本ホイストクレーン取り付け用支柱は、上下に支柱固定物がある場合、支柱本体を伸縮させ取り付け部の高さに合わせ固定することができる。高さ合わせの主構成部位は、口径の異なる２本の伸縮用丸鋼材と上下用丸鋼回転軸材付固定金具である。支柱伸縮の仕組みは、主の２本の太さが異なる中空丸鋼材の内、細い中空丸鋼材を太い中空丸鋼材の中に入れスライドすることで高さ合わせ調整を可能にする。２本の中空丸鋼材の堅結は、異なる中空丸鋼材にそれぞれ穴をあけボルトを通し締め付けることで堅結する。ボルト穴はおおまかな高さ合わせができるように細い中空丸鋼材に複数設け堅結ボルトを通す箇所を変えることで可能にする。取り付け高さと同じ高さへの正確な高さ微調整は、上下用丸鋼回転軸材付固定金具の丸鋼回転軸材を長くすることで重なりがスライドすることができ、支柱全体の長さの微調整を可能にする。
【請求項２】
本ホイストクレーン取り付け用支柱は、回転することで吊り上げ荷の位置を変えて荷下ろしができる。その仕組みは、支柱の上下部固定金具の回転用軸部と口径が異なる支柱丸鋼を堅結しないことで支柱丸鋼が３６０度回転することができる。ホイストクレーン用２点式鋼製張出の腕金具の長さを半径とした距離をホイストクレーンが回転することで吊り上げ荷の位置を変えて荷下ろしを可能にする。
【請求項３】
人力で容易に回転できる構造として、ホイストクレーン取り付け用支柱の回転は、回転部支柱丸鋼材に回転用レバーを水平に取り付ける。
【発明の詳細な説明】
【技術分野】
【０００１】本発明は、支柱本体が回転、伸縮する人力で持ち運び出来るホイストクレーン設置用丸鋼製支柱に関するものである。
【背景技術】
【０００２】ホイストクレーンで荷揚げをする場合、通常、ホイストクレーン本体を定位置で固定して使用する。しかし、荷揚げ作業は、同じ場所だけでなく荷揚げしたい場所へ移動して作業することが効率的である。その場合、ホイストクレーン本体を、専用レール上で移動させて使用している。【０００３】しかし、ホーストクレーン用レールが設置してある場所での荷揚げ作業は出来るが、定位置以外の場所での荷揚げ作業は、ホイストクレーンが設置されていても専用レールの設置が無い場所、または、荷揚げ機械そのものが無い場所では、荷揚げ作業は人力に頼わざるおえない。【０００４】吊り上げ荷重が５００ｋｇ未満のホイストクレーンは、軽量で持ち運び移動が可能であることから、ホイストクレーン取り付け支柱を持ち運びが容易な構造とすることで任意の位置、場所で荷揚げ作業が可能になる。【０００５】そのホイストクレーン支柱は、設置する場所の天井高または、床から梁材間の高さが異なる場所でも、支柱の長さが変えられる仕組みとすることで取り付け天井高を選ばず移動設置が可能である。【０００６】荷揚げ時、吊り上げした場所の上部以外に移動しての荷下げは、ホイストクレーン支柱自体が回転できることで可能となり、ホイスト用レール設置タイプのホイストクレーン作業同様の能力が可能となる。【０００７】大掛かりなホイストクレーン設置タイプに代わり、多くの作業に受け入れられるには、ホイストクレーン用支柱が、持ち運び移動が出来るコンパクトな一体構造とすることが必須で必要となる。それには、持ち運びやすいように支柱の長さが変えられることが出来、作業の時は支柱本体が回転できる荷揚げと吊り荷移動の作業性を損なわずコンパクト構造とすることである。人力主体の小規模の建設現場では、荷揚げ作業の場所を任意の場所選ぶことができ、建設現場の上階への材料荷揚げ作業が容易となることで、人力に頼った荷揚げ作業を無くすことができることとなる。また、高齢者等が一般生活で重い荷物を１階から２階へ上げる労力も、階段に設置できる柔軟性を有することで、生活補助機器の一部として労力負担軽減となる。
【発明の概要】
【発明が解決しようとする課題】
【０００８】荷吊り場所を変える場合ホイストクレーン用レール設置に頼ることなく、荷揚げしたい場所へ移動して荷揚げ作業が出来ることを可能にする。また、その場合、持ち運びが容易であること、設置が容易であること、吊り上げ後、異なる場所へ移動荷下ろしができる機能を有する。
【課題を解決するための手段】
【０００９】コンパクトなサイズで、軽量で持ち運びが可能でも設置場所の高さに合わせて支柱が伸縮して設置場所の高さが異なっても設置可能にする。【００１０】支柱が回転することで吊り荷を吊り上げ後、移動して置くことができる。【００１１】人力で容易に持ち運びできるように、伸縮、回転構造のこの支柱は、それらの機能部品をバラバラにすることなく一体化した特長とする。
【発明の効果】
【００１２】ホイストクレーンをポータブル伸縮回転支柱にセットして使用することで、２階建て以上のクレーン設置が無い小規模建設現場での、上階への材料の人力で行っている荷揚げ作業の、その重労働を軽減することができる。しかも、移動設置が容易なことから上階の適所への荷揚げが可能となる。また、建設作業現場に限らず、通常の生活では、階段、吹き抜けに設置することで重い荷物を上階へ運ぶ場合、高齢者等の負担を軽減できる。
【図面の簡単な説明】
【００１３】
【図１】本発明のホイストクレーン用伸縮回転支柱の側面図である。
【図２】本発明のホイストクレーン用伸縮回転支柱の部分側面図である。
【図３】本発明のホイストクレーン用伸縮回転支柱の斜視図である。
【発明を実施するための形態】
【００１４】以下、本発明を実施するための形態に係るホイストクレーン用伸縮回転丸鋼製支柱を、図面を参照して説明する。図１は、発明の実施形態に係るホイストクレーン用伸縮回転支柱にホイストクレーンを設置した側面図である。図２は、ホイストクレーン用伸縮回転支柱の伸縮固定機構および伸縮固定時の回転軸部機構の拡大側面図である。図３は、図２の斜視図である。
【００１５】ホイストクレーン用伸縮回転丸鋼製支柱１と２は、設置する天井高に合わせて伸縮（１２）し、太さの異なる２本の支柱が重なる部分でボルト固定（１ｂ）することができる。ボルト固定位置は、天井高に合わせて数か所（１ａ）から選択して使用する。高さの微調整（１４）は、上部回転軸３ａを長くすることで構造を簡単にして天井高に合わせることができる。また、工事中で天井（６）が施工されていない場合は、上部（３）を梁に取り付ける事ができる。
【００１６】ホイストクレーン用伸縮回転丸鋼製支柱は、２本の異なる太さの丸鋼製支柱を長さ調整して上部および下部をそれぞれ天井または梁および床にボルト（３ｂ）またはビス（３ｂ）で、堅結して使用するが、堅結部（３）にホイストクレーン取り付け支柱より細い回転用丸鋼（３ａ）を一体化させることでホイストクレーン取り付け支柱自体が回転（１１）できる。つまり、ホイストクレーン支柱は、２本の異なる太さの丸鋼と回転軸丸鋼の３種類の太さの丸鋼を組み合わせることで、支柱の伸縮（１２）、支柱の回転（１１）を可能にするものである。
【００１７】回転は、人力で行い回転レバー（１３）をホイストクレーン丸鋼製支柱の中央付近に取り付け回転を容易にする。
【００１８】ホイストクレーンは、ホイストクレーン用伸縮回転丸鋼製支柱の上部へ２点式鋼製張出の腕金具（８）に吊り下げ設置する。腕金具の長さを変えることで、吊り上げ後、支柱を回転させ、吊り荷の下す位置を変えることができる。
【００１９】ホイストクレーン用伸縮回転丸鋼製支柱は、持ち運び移動設置が容易に行えるように一体化構造とする。その仕組みは、上部堅結部（５ａ）、下部堅結部（５ｂ）をバネまたはゴム等の伸縮材（５）で堅結することで部材を個々に運ぶことなく一体化できる。伸縮材（５）で堅結することで持ち運び時の短くしたコンパクトなサイズを伸ばして長尺なサイズに変形させて設置できる。
【符号の説明】
【００２０】１    伸縮回転丸鋼製支柱の上部
１ａ  伸縮スライド時固定用上部丸鋼製支柱穴
１ｂ  伸縮スライド時固定用下部丸鋼製支柱穴と堅結ボルト
２    伸縮回転丸鋼製支柱の下部
３    伸縮回転丸鋼製支柱の上部固定金具
３ａ  上部回転軸丸鋼
３ｂ  上部固定金具堅結ビス
４    伸縮回転丸鋼製支柱の下部固定金具
４ａ  下部回転軸丸鋼
４ｂ  下部固定金具堅結ビス
５    バネまたはゴム等の伸縮材
５ａ  上部回転軸丸鋼とバネまたはゴム等の伸縮材の結合部
５ｂ  下部回転軸丸鋼とバネまたはゴム等の伸縮材の結合部
６    天井または梁（伸縮回転丸鋼製支柱の上部堅結）
７    床（伸縮回転丸鋼製支柱の下部堅結）
８    ホイストクレーン用２点式鋼製張出の腕金具
８ａ  ２点式鋼製張出の腕金具上部堅結部
８ｂ  ２点式鋼製張出の腕金具下部堅結部
９    ホイストクレーン（最大吊り下げ荷重５００ｋｇ未満）
１０  ホイストクレーンフック
１１  伸縮回転丸鋼製支柱３６０度回転
１２  伸縮回転丸鋼製支柱伸縮
１３  回転用レバー
１３ａ回転用レバー堅結ボルト
１４  伸縮回転丸鋼製支柱の微調整部分
【図１】
2017065921.tif 000003
【図２】
2017065921.tif 000004
【図３】
2017065921.tif 000005